(57)【要約】      （修正有）【課題】複数のＬＥＤランプを使用し無線スイッチで制御する照明システムにおいて、比較的簡単な回路を設けるだけで、複数のＬＥＤランプの調光制御を行えるようにする。【解決手段】照明器具１１を駆動する電流を出力し電流を制御することで照明器具の照度を制御可能な電源制御装置１２と、電源制御装置により点灯駆動される複数の照明器具と、スイッチボタンの操作力を電気エネルギーに変換するエネルギー自給装置を内蔵したスイッチ装置を備えた照明システムにおいて、電源制御装置１２を、所定周波数の無線信号を受信可能な受信器２４と無線信号の受信回数に応じた制御信号を生成する制御信号生成回路２５，２６とを有し第１電源系で動作する第１回路部と、第２電源系で動作し第１回路部からの制御信号に応じた電流を出力する第２回路部２１，２２とで構成し、電流を出力しない場合は第２電源を動作させないようにした。【選択図】図２
2011233493.tif 000002
【特許請求の範囲】
【請求項１】
照明器具を駆動する電流を出力し、前記電流を制御することで前記照明器具の照度を制御可能な電源制御装置であって、
所定の周波数の無線信号を受信可能な受信器と、前記受信器による前記無線信号の受信回数に応じた制御信号を生成する制御信号生成回路とを有する第１回路部と、
前記第１回路部からの前記制御信号に応じた電流を生成し出力する第２回路部と、
を備え、
前記第１回路部と前記第２回路部は、交流電圧を直流電圧に変換する交流−直流変換回路をそれぞれ備え、
前記第１回路部の交流−直流変換回路は常時動作状態にされ、前記第２回路部の交流−直流変換回路は前記制御信号生成回路からの制御信号に応じて前記照明器具の駆動電流を出力する場合に動作状態にされ、駆動電流を出力しない場合には非動作状態にされることを特徴とする電源制御装置。
【請求項２】
前記無線信号の受信回数に応じて前記第２回路部より出力する前記照明器具の駆動電流の大きさを変えて前記照明器具の照度を変化させることを特徴とする請求項１に記載の電源制御装置。
【請求項３】
前記照明器具は赤色ＬＥＤと青色ＬＥＤと緑色ＬＥＤを内蔵したＬＥＤランプからなり、前記第２回路部は前記色別のＬＥＤランプに応じてそれぞれ駆動電流を出力可能に構成され、前記第２回路部は前記受信器による前記無線信号の受信回数に応じて出力する駆動電流の数および組み合わせを変えることで前記照明器具の発光色を変更可能であることを特徴とする請求項１に記載の電源制御装置。
【請求項４】
前記制御信号生成回路は、前記無線信号の受信回数を計数するカウンタと、該カウンタの値をデコードして前記制御信号を生成するデコーダとを備えることを特徴とする請求項１〜３のいずれかに記載の電源制御装置。
【請求項５】
前記制御信号生成回路は、自動的なアップ更新もしくはダウン更新が可能なカウンタと、該カウンタの値を変換して前記制御信号を生成する変換回路と、前記受信器が前記無線信号を受信することに応じて前記カウンタの動作状態を変更するカウンタ動作制御手段と、を備えることを特徴とする請求項１に記載の電源制御装置。
【請求項６】
前記制御信号生成回路は、ＩＤコードを記憶する記憶手段と、前記受信器が受信した無線信号に含まれるＩＤコードを判別する手段とを備え、前記受信器が受信した無線信号に含まれるＩＤコードに応じた変更態様で前記カウンタの動作状態を変更するカウンタ動作制御手段と、備えることを特徴とする請求項１〜５のいずれかに記載の電源制御装置。
【請求項７】
請求項１〜５のいずれかに記載の電源制御装置と、該電源制御装置により点灯駆動される照明器具と、スイッチボタンおよび該スイッチボタンの操作力を電気エネルギーに変換するエネルギー自給装置を内蔵したスイッチ装置と、を備えた照明システムであって、
前記スイッチ装置は、所定の周波数の無線信号を送信可能な送信器を備え、前記スイッチボタンが操作された際に前記無線信号を送信するように構成されていることを特徴とする照明システム。
【請求項８】
スイッチボタンおよび該スイッチボタンの操作力を電気エネルギーに変換するエネルギー自給装置を内蔵した複数のスイッチ装置と、複数の照明器具と、該複数の照明器具のそれぞれに対応して設けられた請求項６に記載の電源制御装置とを備え、
前記複数のスイッチ装置はそれぞれ固有のＩＤコードを含んだ無線信号を送信可能に構成され、前記電源制御装置は所定のＩＤコードを含んだ無線信号を受信した場合に対応する前記照明器具へ出力する駆動電流を変化させることを特徴とする照明システム。
【請求項９】
前記電源制御装置は、前記受信器により受信した無線信号に含まれるＩＤコードを含んだ無線信号を送信可能な送信器を備えることを特徴とする請求項８に記載の照明システム。
【請求項１０】
前記スイッチ装置は、持ち運び可能な大きさのケースにエネルギー自給装置を内蔵し、前記ケースの表面に前記スイッチボタンが設けられた装置として構成されていることを特徴とする請求項７〜９のいずれかに記載の照明システム。
【発明の詳細な説明】
【技術分野】
【０００１】
本発明は、照明器具の電源制御装置さらにはＬＥＤ照明の点灯／消灯および調光を制御する電源制御装置に関し、特にバッテリが不要な無線スイッチを使用したＬＥＤ照明の電源制御装置およびそれを用いた照明システムに関する。
【背景技術】
【０００２】
近年、二酸化炭素の排出量を低減するため、消費電力の大きな白熱灯に代わって消費電力の少ないＬＥＤ照明が普及しつつある。また、ＬＥＤ照明装置において、調光を制御する技術が提案されている（特許文献１）。
【先行技術文献】
【特許文献】
【０００３】
【特許文献１】特開２００９−３０１８７６号公報
【特許文献２】特表２００３−５３４７０４号公報
【発明の概要】
【発明が解決しようとする課題】
【０００４】
比較的広い建造物の天井にＬＥＤ照明を敷設する場合、複数のＬＥＤ照明器具（以下、ＬＥＤランプと称する）を所定の間隔をおいて取り付けことがある。そして、これら複数のＬＥＤランプの調光を制御する照明システムを構築する場合、従来の技術では、図９に示すように、ＬＥＤランプＬ１，Ｌ２……ごとに電源スイッチＳＷ１，ＳＷ２……と調光用ダイヤルＤ１，Ｄ２……を設けるとともに、これらのスイッチやダイヤルとＬＥＤランプとを接続する配線を設ける必要があった。
【０００５】
そのため、建造物が大きくなり敷設するＬＥＤランプの数が多くなればなるほど配線の数および長さが増大するため、配線の敷設、引き回し工事が複雑になり、工事時間が長くなるとともに誤った接続がなされる可能性が高まるという課題がある。
【０００６】
そこで、本発明者らは、バッテリが不要な無線スイッチすなわちエネルギー自給装置を内蔵した無線送信器を使用して複数のＬＥＤランプの調光を制御する方式の照明システムについて検討した。なお、エネルギー自給式無線送信器を使用したランプの調光制御技術については、例えば特許文献２に記載されている。
【０００７】
しかしながら、ランプの明るさを何段階にも制御する場合には、特許文献１にも記載されているように、高周波電文すなわちコマンドコードで指示を与えることとなるため、ランプ側には受信器の他にコードを解析するＣＰＵなどの装置が必要となり、調光を制御する回路が複雑かつ高価になるという課題がある。
【０００８】
この発明は上記のような課題に着目してなされたもので、その目的とするところは、複数のＬＥＤランプを使用し無線スイッチで制御する照明システムにおいて、比較的簡単な回路を設けるだけで、複数のＬＥＤランプの調光制御を行えるＬＥＤ照明の電源制御装置および照明システムを提供することにある。
【課題を解決するための手段】
【０００９】
上記目的を達成するため、本発明は、
照明器具を駆動する電流を出力し、前記電流を制御することで前記照明器具の照度を制御可能な電源制御装置であって、
所定の周波数の無線信号を受信可能な受信器と、前記受信器による前記無線信号の受信回数に応じた制御信号を生成する制御信号生成回路とを有する第１回路部と、
前記第１回路部からの前記制御信号に応じた電流を生成し出力する第２回路部と、
を備え、
前記第１回路部と前記第２回路部は、交流電圧を直流電圧に変換する交流−直流変換回路をそれぞれ備え、
前記第１回路部の交流−直流変換回路は常時動作状態にされ、前記第２回路部の交流−直流変換回路は前記制御信号生成回路からの制御信号に応じて前記照明器具の駆動電流を出力する場合に動作状態にされ、駆動電流を出力しない場合には非動作状態にされるようにしたものである。
【００１０】
上記のような構成によれば、電源制御装置は無線信号の受信回数に応じて照明器具の駆動電流を生成し出力するため、無線信号の送信装置はコードなどの情報を含まない簡単な無線信号を送信すればよいので、電源制御装置へ無線信号を送信する装置を簡単な構造もしくは機能の装置で構成することができる。
【００１１】
また、電源制御装置は、交流電圧を直流電圧に変換する交流−直流変換回路をそれぞれ備えた第１回路部と第２回路部からなり、第１回路部の交流−直流変換回路は常時動作状態にされる一方、第２回路部の交流−直流変換回路は照明器具の駆動電流を出力する場合に動作状態にされるので、照明器具のオフの間の消費電力を低減することができるため、照明器具として省エネルギーのＬＥＤランプを使用して調光可能なシステムを構築する場合に、照明システム全体としての消費電力を少なくすることができる。
【００１２】
ここで、望ましくは、前記無線信号の受信回数に応じて前記第２回路部より出力する前記照明器具の駆動電流の大きさを変えて前記照明器具の照度を変化させるように構成する。これにより、スイッチ装置にはスイッチボタンを１つ設けるだけでよいとともに、ユーザがスイッチ装置を操作する度に照明器具の明るさを変化させることができ、ユーザはボタンを選択する必要がないためスイッチ操作が簡単になる。
【００１３】
また、望ましくは、前記照明器具は赤色ＬＥＤと青色ＬＥＤと緑色ＬＥＤを内蔵したＬＥＤランプからなり、前記第２回路部は前記色別のＬＥＤランプに応じてそれぞれ駆動電流を出力可能に構成され、前記第２回路部は前記受信器による前記無線信号の受信回数に応じて出力する駆動電流の数および組み合わせを変えることで前記照明器具の発光色を変更可能に構成する。これにより、ユーザがスイッチ装置を操作する度に照明器具の発光色を変化させることができ、照明システムを設置した空間の雰囲気を変えることができ、目的に応じた最適な視覚的演出を簡単に実現することができるようになる。
【００１４】
さらに、望ましくは、前記制御信号生成回路は、前記無線信号の受信回数を計数するカウンタと、該カウンタの値をデコードして前記制御信号を生成するデコーダとを備えるようにする。これにより、照明器具の明るさを変化させる段階数や発光色の数を変更する場合の回路の設計変更が簡単になる。
【００１５】
前記制御信号生成回路は、自動的なアップ更新もしくはダウン更新が可能なカウンタと、該カウンタの値を変換して前記制御信号を生成する変換回路と、前記受信器が前記無線信号を受信することに応じて前記カウンタの動作状態を変更するカウンタ動作制御手段と備えるようにする。これにより、無線スイッチ等からの無線信号を受信すると自動的に照明器具の明るさを次第に変化させるフェードインやフェードアウトのような調光制御が行えるようになる。
【００１６】
さらに、望ましくは、前記制御信号生成回路は、ＩＤコードを記憶する記憶手段と、前記受信器が受信した無線信号に含まれるＩＤコードを判別する手段とを備え、前記受信器が受信した無線信号に含まれるＩＤコードに応じた変更態様で前記カウンタの動作状態を変更するカウンタ動作制御手段と備えるようにする。これにより、複数の無線スイッチにそれぞれ異なるＩＤコードを付与し無線信号に含ませて送信させることにより、それを受信した制御信号生成回路が受信したＩＤコードに応じて異なる変更態様で照明器具の明るさを変化させる調光制御が行えるようになる。
【００１７】
また、本出願に係る照明システムは、上記のような構成を有する電源制御装置と、該電源制御装置により点灯駆動される照明器具と、スイッチボタンおよび該スイッチボタンの操作力を電気エネルギーに変換するエネルギー自給装置を内蔵したスイッチ装置とを備え、前記スイッチ装置は、所定の周波数の無線信号を送信可能な送信器を備え、前記スイッチボタンが操作された際に前記無線信号を送信するように構成したものである。これにより、エネルギー自給装置が発生するエネルギーすなわちスイッチボタンの移動量が少なくて済むため、スイッチ装置を小型化あるいは薄型化することができる。
【００１８】
また、スイッチボタンおよび該スイッチボタンの操作力を電気エネルギーに変換するエネルギー自給装置を内蔵した複数のスイッチ装置と、複数の照明器具と、該複数の照明器具のそれぞれに対応して設けられた前記電源制御装置とを備え、前記複数のスイッチ装置はそれぞれ固有のＩＤコードを含んだ無線信号を送信可能に構成され、前記電源制御装置は所定のＩＤコードを含んだ無線信号を受信した場合に対応する前記照明器具へ出力する駆動電流を変化させるように構成する。上記のような構成によれば、スイッチ装置ごとに送信する無線信号に含まれるＩＤコードが異なるため、操作されたスイッチ装置に応じて異なる調光制御を電源制御装置によって実行させることができるようになる。すなわち、スイッチ装置ごとに異なる機能を付与することができる。
【００１９】
また、望ましくは、前記電源制御装置は、前記受信器により受信した無線信号に含まれるＩＤコードを含んだ無線信号を送信可能な送信器を備えるように構成する。これにより、１つのスイッチ装置の無線信号が届かないような広い空間に設置される複数の照明器具を有する照明システムにおいて、スイッチ装置の無線信号が届かない照明器具に対しても調光制御を行うことができるようになる。
【００２０】
さらに、望ましくは、前記スイッチ装置は、持ち運び可能な大きさのケースにエネルギー自給装置を内蔵し、前記ケースの表面に前記スイッチボタンが設けられた装置として構成する。これにより、照明システムが設置された空間のどこからでも調光制御のための指令を送ることができる。
【発明の効果】
【００２１】
以上説明したように、本発明に従うと、複数のＬＥＤランプを使用し無線スイッチで制御する照明システムにおいて、比較的簡単な回路を設けるだけで、複数のＬＥＤランプの調光を制御することができるという効果がある。
【図面の簡単な説明】
【００２２】
【図１】本発明を適用した照明システムの第１実施形態を示す概略構成図である。
【図２】第１実施形態の照明システムにおけるＬＥＤランプの電源制御装置の回路構成例を示すブロック図である。
【図３】第１実施形態の照明システムにおいて第１の制御方式によりＬＥＤランプの照度を変化させる制御を行う場合のカウンタ回路の計数値（カウント値）とＬＥＤ照度との関係を示す説明図である。
【図４】（Ａ）は第１実施形態の照明システムにおいて第２の制御方式を適用する場合のＬＥＤランプの内部構成を示す断面図、（Ｂ）はカウンタ回路の計数値（カウント値）とＬＥＤの発光色との関係を示す説明図である。
【図５】（Ａ）は第１実施形態の照明システムにおいて第３の制御方式を適用する場合のＬＥＤランプの配置例を示す説明図、（Ｂ）はカウンタ回路の計数値（カウント値）と点灯するＬＥＤのエリアとの関係を示す説明図である。
【図６】第１実施形態の変形例の照明システムにおける電源制御装置のサブ電源系回路の構成例を示すブロック図である。
【図７】第２実施形態の照明システムにおけるＬＥＤランプの配置例および無線スイッチとの関係を示す説明図である。
【図８】第２実施形態の変形例の照明システムにおけるＬＥＤランプの配置例および無線スイッチとの関係を示す説明図である。
【図９】従来の照明システムの一例を示す概略構成図である。
【図１０】第３実施形態における無線スイッチの操作とＬＥＤランプの明るさとの関係を示す説明図である。
【図１１】第３実施形態におけるＬＥＤ電源ユニット側のハードウェアの構成例を示すブロック図である。
【図１２】第３実施形態における他のタイミングによる無線スイッチの操作とＬＥＤランプの明るさとの関係を示す説明図である。
【図１３】第３実施形態の第１変形例における無線スイッチの操作とＬＥＤランプの明るさとの関係を示す説明図である。
【図１４】第３実施形態の第１変形例におけるＬＥＤ電源ユニット側のハードウェアの構成例を示すブロック図である。
【図１５】第３実施形態の第２変形例におけるＬＥＤ電源ユニット側のハードウェアの構成例を示すブロック図である。
【図１６】第３実施形態の第２変形例におけるＣＰＵによる調光制御処理の手順の一例を示すフローチャートである。
【発明を実施するための形態】
【００２３】
以下、本発明の好適な実施の形態を図面に基づいて説明する。
（第１実施形態）
図１は、複数のＬＥＤランプを使用し無線スイッチで制御する本発明に係る照明システムの第１の実施形態を示す。
【００２４】
本実施形態の照明システムは、図１に示すように、建造物の天井に下向き取り付けられた照明器具としてのＬＥＤランプ１１ａ，１１ｂ……と、各ランプに対応してそれぞれ設けられ電源を供給するＬＥＤ電源ユニット１２ａ，１２ｂ……と、照明システム全体の電源をオン、オフするための主電源スイッチ１３と、ＬＥＤ電源ユニット１２ａ，１２ｂ……へ調光制御のための無線信号を送信する無線スイッチ１４とを備え、共通のＡＣ電源１０からＬＥＤ電源ユニット１２ａ，１２ｂ……へＡＣ電源電圧を供給する電源配線１５が建造物の壁内から天井裏にかけて敷設されている。そして、上記ＬＥＤ電源ユニット１２ａ，１２ｂ……と対応するＬＥＤランプ１１ａ，１１ｂ……とは、ケーブル１６ａ，１６ｂ……で接続されている。
【００２５】
無線スイッチ１４は、一種のリモートコントローラであり、持ち運び可能な大きさ（手の平サイズ）のケースの表面にスイッチボタン１４ａを備え、内部にスイッチボタン１４ａの操作による動きを利用して電力を発生する発電機のような電気機械トランスデューサと２．４ＧＨｚのような無線信号（電波）を出力する送信器が内蔵されている。なお、このような構造および機能を有するバッテリが不要なエネルギー自給方式の無線スイッチは、従来より種々の構成のものが知られているので、詳しい説明は省略する。
【００２６】
図２には、照明システムを構成するＬＥＤ電源ユニット１２の構成例が示されている。
図２のＬＥＤ電源ユニット１２は、ＬＥＤランプを定電流で駆動するための駆動電流を出力する電流駆動回路（電流源）２１と、該電流駆動回路２１を制御してＬＥＤランプに流す電流の大きさを変える電流制御回路２２と、ＡＣ電源を受けて上記電流駆動回路２１および電流制御回路２２の動作に必要な直流電源電圧Ｖｃｃ２を生成するメイン電源としてのＡＣ−ＤＣ変換回路２３を備える。
【００２７】
また、ＬＥＤ電源ユニット１２は、前記無線スイッチ１４からの無線信号を受信する受信器２４と、該受信器２４からのパルス信号を計数するカウンタ回路２５と、該カウンタ回路２５の出力（カウント値）をデコードするデコーダ回路２６と、ＡＣ電源を受けて上記受信器２４、カウンタ回路２５およびデコーダ回路２６の動作に必要な直流電源電圧Ｖｃｃ１を生成するサブ電源としてのＡＣ−ＤＣ変換回路２７を備える。
【００２８】
上記受信器２４は、上記無線スイッチ１４からの無線信号を受信するとワンショットパルス信号を出力するように構成されており、カウンタ回路２５は、例えば３ビットで構成され、受信器２４からパルス信号が入って来るごとに１つずつ計数値をカウントアップし、最大で８個までパルスを計数するように構成されている。
【００２９】
受信器２４、カウンタ回路２５およびデコーダ回路２６の動作に必要な直流電源電圧Ｖｃｃ１を生成するサブ電源としてのＡＣ−ＤＣ変換回路２７は、常時ＡＣ電圧を直流電圧に変換する。一方、電流駆動回路２１および電流制御回路２２の動作に必要な直流電源電圧Ｖｃｃ２を生成するメイン電源としてのＡＣ−ＤＣ変換回路２３は、ＬＥＤランプ消灯中はＡＣ電圧を直流電圧に変換する動作を停止するように構成されている。
【００３０】
具体的には、例えば、ＬＥＤ非点灯中に受信器２４からパルス信号が入って来ると、メイン電源としてのＡＣ−ＤＣ変換回路２３が起動されて、電流駆動回路２１および電流制御回路２２が動作可能となる。また、電流制御回路２２から出力される駆動電流がゼロとなってＬＥＤが消灯状態に切り替わると、メイン電源としてのＡＣ−ＤＣ変換回路２３がオフするように構成される。
【００３１】
上記のように、ＬＥＤランプ消灯中はメイン電源がオフされることによって、ＬＥＤ電源ユニット１２の消費電力（待機電力）が少なくて済むようになっている。また、この実施形態においては、無線スイッチ１４からコマンドコードを含むような無線信号を送信する必要がないため、無線スイッチ１４側の回路の構成が簡単であるとともに、無線スイッチとして例えばエネルギー自給装置を内蔵したスイッチ装置を使用する場合に、発生するエネルギーすなわちスイッチボタンの移動量が少なくて済むため、スイッチ装置を小型化あるいは薄型化することができる。さらに、電源ユニット１２側もコマンドコードを解読するＣＰＵが不要であるため、回路が簡単になるという利点がある。なお、図２において、２０Ａはサブ電源系回路としての第１回路部、２０Ｂはメイン電源系回路としての第２回路部である。
【００３２】
次に、サブ電源で動作する第１回路部２０Ａの受信器２４、カウンタ回路２５およびデコーダ回路２６の動作について、図３〜図５を用いて説明する。図２のような構成を有する電源ユニットによって実現可能な調光制御として、以下に説明するような３つの方式が考えられる。
【００３３】
第１の制御方式は、受信器２４が無線スイッチ１４からの無線信号を受信するごとにカウンタ回路２５の計数値をカウントアップして、その計数値に応じてＬＥＤランプ１１の明るさを変化させる制御である。また、第２の制御方式は、図４（Ａ）のように、ＬＥＤランプ１１を赤色ＬＥＤと青色ＬＥＤと緑色ＬＥＤの３色のＬＥＤを内蔵した照明器具で構成し、受信器２４が無線スイッチ１４からの無線信号を受信するごとにカウンタ回路２５の計数値をカウントアップして、その計数値に応じてＬＥＤランプ１１の発光色を変化させる制御である。第３の制御方式は、点灯するエリアを変える制御である。
【００３４】
図３には、第１の制御方式によりＬＥＤランプ１１の明るさすなわち照度を変化させる制御を行う場合のカウンタ回路２５の計数値（カウンタ値）とＬＥＤ照度との関係を示す。なお、図３において、照度を示す「１」〜「７」の数字は値が大きいほど明るく、値が小さいほど暗くなることを、また、「０」は消灯状態を意味している。ここで、ＬＥＤランプは流れる電流が大きいほど明るく発光する。従って、図３の照度を示す数字の値が大きいほど大きなＬＥＤ駆動電流が電流駆動回路２１から出力されることを意味する。
【００３５】
図３の制御方式では、カウンタ回路２５の値と照度を示す値は逆に変化する。つまり、カウンタ回路２５の値が「１」から順に大きくなるに従って、出力電流が減少されて、照度は「７」から順に小さくなる。また、カウンタ回路２５の値が「７」（照度が「１」）のときに無線スイッチ１４から信号が入ると計数値は「０」に戻り、ランプは消灯状態となるように制御される。カウンタ回路２５は、アップカウンタでなくダウンカウンタであっても良い。
【００３６】
図１の照明システムに第１の制御方式を適用した場合には、無線スイッチ１４からの信号を複数のランプの電源ユニット１２が同時に受信して、それぞれのカウンタ回路２５およびデコーダ回路２６が同じように動作することによって、すべてのＬＥＤランプ１１の照度が一斉に同じ方向へ変化するように制御される。図３に従うと、無線スイッチ１４から最初の無線信号が入ると、すべてのＬＥＤランプ１２ａ，１２ｂ……が最も高い照度で点灯し、その後、無線信号が入る毎に、一段階ずつ照度が低下するように制御されることとなる。
【００３７】
図４（Ｂ）には、第２の制御方式によりＬＥＤランプ１１の発光色を変化させる制御を行う場合のカウンタ回路２５の計数値と点灯されるランプおよび発光色との関係を示す。図４（Ｂ）に示すように、カウンタ回路２５の値は受信信号が入るたびに計数値が「１」から「７」に向かって大きくなり、計数値が「１」のときは青色ＬＥＤのみが点灯され、計数値が「２」のときは緑色ＬＥＤのみが点灯される。また、計数値が「３」のときは青色ＬＥＤと緑色ＬＥＤが点灯され、発光色は「シアン」となる。なお、カウンタ回路２５の値と発光色との関係は図４（Ｂ）のようなものに限定されず、逆であっても良い。また、カウンタ回路２５は、アップカウンタでなくダウンカウンタであっても良い。
【００３８】
図１の照明システムに第２の制御方式を適用した場合には、無線スイッチ１４からの信号を複数のランプの電源ユニット１２が同時に受信して、それぞれのカウンタ回路２５およびデコーダ回路２６が同じように動作することによって、すべてＬＥＤランプ１１が一斉に同じ発光色に変化するように制御される。図３に従うと、無線スイッチ１４から最初の無線信号が入ると、すべてのＬＥＤランプ１２ａ，１２ｂ……が青色で点灯し、その後、無線信号が入る度に、「緑」、「シアン」、「赤」、「マゼンタ」、「黄」、「白」の順に、発光色が変わるように制御されることとなる。
【００３９】
この第２の制御方式を適用した照明システムによれば、例えば販売店の食品売り場や衣料品売り場等展示されている商品に応じた照明や昼と夜とで異なる照明を行なったり、イベント会場において、展示物や展示内容に応じて照明を変えることでより強い印象を与えるような展示や催しを実現することができる。なお、ＬＥＤランプ１２ａ，１２ｂ……ごとに、発光色の変化する順序が異なるように設定してもよい。
【００４０】
図５（Ａ），（Ｂ）には、第３の制御方式を適用した照明システムの概略を示す。この第３の制御方式を適用した照明システムは、図５（Ａ）に示すように多数のＬＥＤランプ１１が取り付けられる比較的広い建造物に適した制御方式である。この照明システムにおいては、１つの空間が４つのエリアＡ，Ｂ，Ｃ，Ｄに分割され、各エリアにそれぞれ９個ずつ計３６個のＬＥＤランプ１１が設置されている。
【００４１】
これらのＬＥＤランプ１１は、対応するＬＥＤ電源ユニットに設けられ無線スイッチ１４からの無線信号によって変化するカウンタ値に応じて、例えば「４つのエリアの全ての点灯」−「エリアＡ，Ｂの点灯」−「エリアＣ，Ｄの点灯」−「エリアＡのみの点灯」−「エリアＢのみの点灯」−「エリアＣのみの点灯」−「エリアＤのみの点灯」のように、ランプ点灯エリアが制御される。
【００４２】
上記のような制御は、図２に示すＬＥＤ電源ユニット１２において、カウンタ回路の値をデコードするデコーダ回路の構成を、エリアごとに変えることで実現することができる。具体的には、図５（Ｂ）に示すように、カウンタ回路２５の値に応じて各エリアの電源ユニットは、制御対象のランプをカウンタ値に応じて点灯または消灯状態に制御するようにデコーダ回路を構成しておけばよい。なお、図５において、「●」は消灯状態を、また「○」は点灯状態を意味する。
【００４３】
（変形例）
次に、前記実施形態の照明システムの変形例を示す。この変形例は、１つの無線スイッチからの無線信号に応じて、前記第３の制御方式による制御と、前記第１の制御方式による制御を行うようにしたものである。具体的には、消灯状態で無線スイッチ１４からの無線信号がＬＥＤ電源ユニット１２に入って来ると、先ず図５に示すように、信号の数（カウンタ値）すなわち無線スイッチを押した数に応じてランプの点灯するエリアを切り換える。次に、適当な時間を経てから再び無線信号がＬＥＤ電源ユニット１２に入って来ると、既に点灯状態が確定しているエリアのランプの照度が図３に示すように、無線信号の数（カウンタ値）すなわち無線スイッチを押した回数に応じて変化するように制御される。
【００４４】
図６は、上記のような制御を可能とするＬＥＤ電源ユニット１２のサブ電源系回路２０Ａの構成例を示す。メイン電源系回路２０Ｂは図２に示されているものと同様で良いので、図示を省略する。図６に示すように、この変形例のＬＥＤ電源ユニット１２のサブ電源系回路２０Ａには、無線スイッチ１４からの無線信号の数を計数する２つのカウンタ回路２５ａ，２５ｂと２つのデコーダ回路２６ａ，２６ｂとが設けられている。カウンタ回路２５ａとデコーダ回路２６ａは、点灯するエリアを決定するために動作し、カウンタ回路２５ｂとデコーダ回路２６ｂは、点灯ランプの照度（明るさ）を決定するために動作する。
【００４５】
また、カウンタ回路２５ａ，２５ｂの前段には、受信器２４からのパルス信号をカウンタ回路２５ａまたは２５ｂのいずれかに選択的に入力させるセレクタ２８と、パルスのインターバルを計時するタイマ回路２８と、該タイマ回路２９からの信号（パルス）によって出力がハイレベルとロウレベルに交互に変化するトグル型フリップフロップ（Ｔ−ＦＦ）３０が設けられている。
【００４６】
タイマ回路２９は、所定時間（例えば２〜５秒）の時間の間に受信器２４からパルスが入って来ないと、後段のＴフリップフロップ３０へパルスを出力するように構成される。また、Ｔフリップフロップ３０はパルスが入ってくる度に出力状態が反転するため、セレクタ２８を制御して受信器２４からのパルスを、Ｔ−ＦＦの出力状態に応じてカウンタ回路２５ａまたは２５ｂに入力させる。
【００４７】
従って、この変形例においては、ランプ全消灯状態でユーザが無線スイッチ１４を操作すると、受信器２４からパルスが先ずカウンタ回路２５ａに供給されることで、１回目で全エリアのランプを点灯させ、所定のインターバル時間以内に連続して操作すると点灯エリアが順次切り替わる。そして、所望のエリアの点灯状態となってところで、一旦無線スイッチ１４の操作を中断し、所定時間以上のインターバルをおいてから再び無線スイッチ１４を連続操作すると、タイマ回路２９が所定時間を計時することでパルスを出力し、そのパルスによってＴフリップフロップ３０の出力状態が反転し、セレクタ２８を、受信器２４からのパルスをカウンタ回路２５ｂに入力させる側に切り替えた状態となるため、スイッチを操作した回数に応じて段階的に明るさが変化する。
【００４８】
そして、所望の明るさとなったところで無線スイッチ１４の操作を中止すると、そのときの明るさで照度が確定する。そして、タイマ回路２９が所定時間を計時することでパルスを出力すると、そのパルスによってＴフリップフロップ３０の出力状態が反転し、セレクタ２８を、受信器２４からのパルスをカウンタ回路２５ａに入力させる側に切り替えた状態となる。従って、その後、再び無線スイッチ１４を操作すると、ランプの点灯状態（エリア）を切り替えることができ、何回かスイッチを操作してカウンタ回路２５ａの値が「０」に戻った時点で操作を中止することで、全ランプ消灯状態に設定することができる。
【００４９】
（第２実施形態）
次に、本発明に係る照明システムの第２の実施形態について説明する。
第２の実施形態の照明システムは、各々が固有のＩＤコード（個体識別コード）を送信する複数の無線スイッチを使用して調光を可能に構成したものである。また、調光制御としては、前記第１の実施形態で説明した第１の制御方式（図３参照）が適用されている。図７は、第２の実施形態の照明システムの一例を示す。
【００５０】
図７に示すように、本実施形態の照明システムにおいては、図５（Ａ）の照明システムと同様に、建造物内の１つの空間が４つのエリアＡ，Ｂ，Ｃ，Ｄに分割され、各エリアにそれぞれ９個ずつ計３６個のＬＥＤランプ１１が設置されている。図５の実施形態との違いは、本実施形態の照明システムにおいては、各エリアＡ，Ｂ，Ｃ，Ｄに対応してそれぞれ固有のＩＤコードを送信する無線スイッチ１４Ａ，１４Ｂ，１４Ｃ，１４Ｄが設けられ、複数の無線スイッチによって調光が可能にされている点にある。
【００５１】
各無線スイッチ１４Ａ，１４Ｂ，１４Ｃ，１４Ｄは、各々固有のＩＤコードが付与され、無線信号にＩＤコードを乗せて送信するように構成されている。各ＬＥＤランプ１１に対応して設けられているＬＥＤ電源ユニット（図示省略）は、図２に示されているものと同様に、サブ電源系回路とメイン電源系回路とにより構成されているとともに、サブ電源系回路には、予め所定のＩＤコードが格納された記憶手段、受信器により受信した信号に含まれているＩＤコードを抽出する機能や抽出されたＩＤコードが記憶手段に記憶されているＩＤコードと一致するか判別する機能を有する例えばＣＰＵのような装置もしくは回路が設けられている。
【００５２】
図７の実施形態では、エリアＡのＬＥＤランプ１１に対応するＬＥＤ電源ユニットには、無線スイッチ１４Ａに付与されたＩＤコードと同一のコードが記憶され、エリアＢのＬＥＤランプ１１に対応するＬＥＤ電源ユニットには、無線スイッチ１４Ｂに付与されたＩＤコードと同一のコードが記憶されている。同様にして、エリアＣのＬＥＤ電源ユニットには、無線スイッチ１４ＣのＩＤコードが記憶され、エリアＤのＬＥＤ電源ユニットには、無線スイッチ１４ＤのＩＤコードが記憶されている。
【００５３】
本実施形態の照明システムにおける調光制御は、例えばユーザが無線スイッチ１４ａを操作すると、エリアＡのＬＥＤランプ１１に対応するＬＥＤ電源ユニットのみが反応して、図３に示すように、無線スイッチ１４Ａの操作回数に応じて内部のカウンタの値が変化する。そして、カウンタの値に応じてＬＥＤの照度が変化するように制御された駆動電流が、電流駆動回路２１（図２）からＬＥＤランプへ出力される。これにより、エリアＡのＬＥＤランプ１１のみが調光制御される。
【００５４】
また、ユーザが無線スイッチ１４Ｂを操作すると、エリアＢのＬＥＤランプ１１に対応するＬＥＤ電源ユニットのみが反応して、ＬＥＤの駆動電流が出力され、エリアＢのＬＥＤランプ１１のみが調光制御される。同様にして、無線スイッチ１４Ｃを操作すると、エリアＣのＬＥＤランプ１１のみが調光制御され、無線スイッチ１４Ｄを操作すると、エリアＤのＬＥＤランプ１１のみが調光制御される。
【００５５】
（変形例）
図８には、第２の実施形態の照明システムの変形例を示す。
この変形例は、図７の照明システムにおいて、さらに固有のＩＤコードを有する共通の無線スイッチ１４Ｅを追加するとともに、各ＬＥＤランプ１１に対応するすべてのＬＥＤ電源ユニットには、対応する無線スイッチのＩＤコードの他、共通の無線スイッチ１４ＥのＩＤコードが記憶されている。そして、ＬＥＤ電源ユニットがこの共通の無線スイッチ１４ＥのＩＤコードを受信したときは、対応するＬＥＤランプを点灯または消灯するように構成されている。従って、この変形例の照明システムにおいては、ユーザが共通の無線スイッチ１４Ｅを操作すると、すべてのエリアＡ，Ｂ，Ｃ，ＤのＬＥＤランプが一斉に点灯または消灯するように制御される。
【００５６】
さらに、この変形例の照明システムにおいては、各ＬＥＤ電源ユニットの受信器２４（図２参照）に送信機能も持たせ、受信した信号をそのまま周囲にある他のＬＥＤ電源ユニットの受信器２４へ送信するように構成するのが望ましい。このように構成しておくことによって、例えば非常に広い建造物に設置された大規模な照明システムにおいて、ユーザがいずれかの無線スイッチを部屋の隅で操作したためすべてのＬＥＤの電源ユニットまで電波が届かなかったとしても、いずれかのＬＥＤ電源ユニットが受信したＩＤコードが、次々とリレー方式で伝達される。その結果、例えばエリアＡ用の無線スイッチ１４Ａを電波の届かないエリアＤで操作したような場合であっても、この場合にはエリアＡのＬＥＤランプのみを調光制御することができる。
【００５７】
また、各ＬＥＤ電源ユニットの受信器２４に送信機能も持たせ、それぞれのエリアの調光制御状態を他のエリアのＬＥＤ電源ユニットへ知らせるように構成してもよい。これにより、例えば共通の無線スイッチ１４Ｅが操作された場合に、自己のエリアのＬＥＤが消灯状態であっても、他のいずれかのエリアのＬＥＤが点灯していれば消灯状態を維持し、自己のエリアを含めてすべてのエリアのＬＥＤが消灯状態であれば対応するＬＥＤを点灯させるとともに、他のエリアのＬＥＤ電源ユニットにおいても同様な制御を行うことで、共通の無線スイッチ１４Ｅにメイン電源スイッチとしての機能を持たせることができる
【００５８】
以上本発明者によってなされた発明を実施例に基づき具体的に説明したが、本発明は上記実施例に限定されるものではない。例えば、前記実施形態の照明システムを構成するＬＥＤ電源ユニット１２においては、無線スイッチ１４の操作回数を計数するカウンタ回路２５とそのカウント値をデコードするデコーダ回路２６とを設けたが、カウンタ回路とデコーダ回路の代わりに、例えば無線スイッチからの信号が入ってくる度に出力が反転するトグル型フリップフロップを備え、該フリップフロップの出力が変化する度に内部論理状態が変化して行くことで、出力する駆動電流の大きさを順次変化させるような信号すなわち上記デコーダの出力に相当するような信号を出力するように構成した順序回路を使用するようにしても良い。
【００５９】
さらに、図７および図８の第２の実施形態の照明システムにおいては、複数の無線スイッチを、エリアごとに設けられているＬＥＤランプに対応させるように構成したものを説明したが、各ＬＥＤランプに連続番号を付けて、例えば無線スイッチの数が４個の場合には、各無線スイッチを、４ｎ＋１，４ｎ＋２，４ｎ＋３，４ｎ（ｎは０を含む正の整数）の番号のＬＥＤランプにそれぞれ対応させて、グループ単位で調光制御を行うように構成しても良い。
【００６０】
また、ＬＥＤランプのダループ分けは、上記のように互いに重複しない分け方の他、あるＬＥＤランプは複数のグループに属するような分け方であっても良い。このような重複を許容したグループ分けは、１つのＬＥＤ電源ユニット内に複数のＩＤコードを記憶させておくことで容易に実現可能であり、これにより点灯するランプの数で明るさを変化させるような制御を行うことができる。
【００６１】
さらに、前記実施形態においては、無線スイッチをリモコン装置として構成したものを示したが、特に第２実施形態で説明したように電源ユニットに送信器を内蔵させて双方向通信可能に構成した場合には、複数の無線スイッチをドアの近傍の壁面等一か所に集約して配置した固定式のスイッチ装置として設けるようにすることも可能である。
また、無線スイッチからＩＤコードを送信する他、コマンドコードも送信し電源ユニットにはそのコマンドコードを解読する機能も設けるように構成しても良い。これにより、複数個のＬＥＤランプのうち必要なエリアあるいは特定のＬＥＤランプだけを調光動作なしで直接オン、オフしたり、所望の照度に設定したり、所望の色調にしたりするなど、さらに複雑な制御が可能となる。なお、これらの１つ１つの制御を個別の無線スイッチにより行っても良いし、幾つかの制御を１つの無線スイッチにより行っても良い。また、無線スイッチ１４はエネルギー自給型のものに限定されず、実施形態によってはバッテリ（小型電池）で動作するものであっても良い。
【００６２】
（第３実施形態）
次に、本発明に係る照明システムの第３の実施形態について説明する。
第３の実施形態の照明システムは、無線スイッチを操作するとＬＥＤランプが自動的に明るくなったり、暗くなったりするフェードイン・フェードアウト調光機能を有するように構成したものである。具体的には、図１０に示すように、無線スイッチを１回操作するとＬＥＤランプが次第に明るくなり、明るさが１００％に達するとその状態を維持し、再度、無線スイッチを操作するとＬＥＤランプが次第に暗くなり、明るさが１００％に達するとその状態を維持するようにＬＥＤ電源ユニット１２を構成したものである。
【００６３】
図１１は、上記のような調光制御を可能とするＬＥＤ電源ユニット１２のサブ電源系回路２０Ａの構成例を示す。メイン電源系回路２０Ｂは図２に示されているものと同様で良いので、図示を省略する。
図１１に示すように、この実施形態のＬＥＤ電源ユニット１２のサブ電源系回路２０Ａには、無線スイッチ１４からの無線信号を受信する受信器２４と、所定周波数のクロック信号ＣＫを生成する発振器３１と、クロックを計数するアップカウンタ回路２５ａおよびダウンカウンタ回路２５ｂと、これらのカウンタの値をデコードする変換回路としてのデコーダ回路２６とが設けられている。アップカウンタ回路２５ａはＬＥＤランプを次第に明るくする調光制御の際に使用され、ダウンカウンタ回路２５ｂはＬＥＤランプを次第に暗くする調光制御の際に使用される。デコーダ回路２６の代わりに、ＤＡコンバータ（ＤＡＣ）を用いるようにしても良い。また、ＤＡＣを使用した場合、回路形式によっては、電流制御回路２２を省略してＤＡＣの出力で電流駆動回路２１を制御する構成も可能である。
【００６４】
また、サブ電源系回路２０Ａにおいては、カウンタ回路２５ａ，２５ｂの前段に、発振器３１からのクロックＣＫをカウンタ回路２５ａまたは２５ｂのいずれかに選択的に入力させるセレクタ２８と、無線スイッチ１４からの無線信号を受信器２４が受信する毎に出力されるパルスによってハイレベルとロウレベルに交互に変化するトグル型フリップフロップ（Ｔ−ＦＦ）３０が設けられている。
【００６５】
Ｔフリップフロップ３０はパルスが入ってくる度に出力状態が反転するため、セレクタ２８を制御して発振器３１からのクロックＣＫを、Ｔ−ＦＦの出力状態に応じてカウンタ回路２５ａまたは２５ｂに入力させる。また、アップカウンタ回路２５ａとダウンカウンタ回路２５ｂは、それぞれ最大値または最小値まで計数するとそれ以上クロックが入って来ても計数値が変化しないように構成されている。そして、Ｔフリップフロップ３０の出力が反転して、Ｑがハイレベルに変化するときにダウンカウンタ回路２５ｂの値が最大値にセットされ、／Ｑがハイレベルに変化するときにアップカウンタ回路２５ａの値が最小値にリセットされる。
【００６６】
本実施形態においては、アップカウンタ回路２５ａとダウンカウンタ回路２５ｂが例えば８ビットのカウンタで構成されることで、ＬＥＤランプの明るさが２５６段階で次第に変化するように制御することができるようになっている。
さらに、ＬＥＤ電源ユニット１２のサブ電源系回路２０Ａが図１１に示すように構成されている場合には、例えば図１２に示すように、最初の無線スイッチ操作でアップカウンタ回路２５ａが動作してＬＥＤランプの明るさが次第に上昇している途中で、再度無線スイッチが操作されると、ダウンカウンタ回路２５ｂが動作してＬＥＤランプの明るさが次第に下がり、さらにもう一度無線スイッチが操作されると、ダウンカウンタ回路２５ｂが動作してＬＥＤランプの明るさが次第に上昇するような調光制御が可能である。
【００６７】
（変形例１）
図１３および図１４には、本発明に係る照明システムの第３の実施形態の第１の変形例が示されている。この変形例は、ＬＥＤランプの明るさが変化している途中で無線スイッチを操作すると明るさの変化を止められるようにするものである。
具体的には、図１３に示すように、最初に無線スイッチを操作するとＬＥＤランプの明るさが次第に上昇し、その途中で無線スイッチが操作されるとＬＥＤランプはその明るさを維持し、さらにもう一度無線スイッチが操作されると、再度ＬＥＤランプの明るさが上昇する。そして、明るさが１００％に達すると、ＬＥＤランプの明るさが暗くなって行くような調光制御を行えるようにするものである。
【００６８】
上記のような制御は、例えばＬＥＤ電源ユニット１２のサブ電源系回路２０Ａを、図１４に示すように構成することによって可能である。
図１４のサブ電源系回路２０Ａは、図１０のサブ電源系回路２０Ａと類似している。異なる点は、受信器２４が無線スイッチ１４からの無線信号を受信する毎に出力が反転するＴフリップフロップ（Ｔ−ＦＦ）３０の他に、ＲＳフリップフロップ（ＲＳ−ＦＦ）３２およびクロックＣＫの供給を制御するＡＮＤゲート３３が設けられ、Ｔ−ＦＦ３０の出力でＡＮＤゲート３３を制御することで、無線信号を受信する毎にクロックＣＫの通過と遮断を交互に繰り返すようになっている。
【００６９】
また、本実施形態においては、アップカウンタ回路２５ａとダウンカウンタ回路２５ｂがそれぞれ最大値または最小値に達したか否かを示す信号をＲＳ−ＦＦ３２へ供給し、ＲＳ−ＦＦ３２はアップカウンタ回路２５ａが最大値に達した時に出力される信号によってリセット状態にされ、ダウンカウンタ回路２５ｂが最小値に達した時に出力される信号によってセット状態にされる。そして、このＲＳ−ＦＦ３２の出力によってセレクタ２８が制御されるようになっており、アップカウンタ回路２５ａが最大値に達して明るさが１００％になるとクロックＣＫがダウンカウンタ回路２５ｂへ供給される。また、ダウンカウンタ回路２５ｂが最小値に達して明るさが０％になると、クロックＣＫがアップカウンタ回路２５ａへ供給されるようになる。これによって、図１３に示すような調光制御動作が可能とされる。
【００７０】
（変形例２）
図１５および図１６には、本発明に係る照明システムの第３の実施形態の第２の変形例が示されている。この変形例は、図１３に示すような調光制御を、ＣＰＵ（マイクロコンピュータの）プログラム制御によって実現するようにしたものである。
図１５は、この変形例におけるＬＥＤ電源ユニット１２側のハードウェアの構成例を示す。
【００７１】
図１５に示すように、この変形例においては、ＬＥＤ電源ユニット１２側に、サブ電源系回路２０Ａおよびメイン電源系回路２０Ｂの他に、ＣＰＵ４１および受信器４２と、ＲＡＭ（ランダムアクセスメモリ）やＲＯＭ（リードオンリメモリ）などからなるメモリ４３などを搭載した通信モジュール４０が設けられている。通信モジュール４０は、ＡＣ−ＤＣコンバータ２７からの直流電圧を供給して動作させるように構成することでサブ電源系回路に含まれるとみなすこともできる。
【００７２】
また、この変形例においては、サブ電源系回路２０ＡにＣＰＵ４１から送られて来る明るさのレベルを示すデータを電圧もしくは電流値に変換する変換回路としてのＤＡコンバータ（ＤＡＣ）２６が設けられており、ＣＰＵ４１からＤＡコンバータ２６へは、ＤＡＣの動作クロックＣＬＫと、明るさのレベルを示すデータと、データの有効期間もしくは取込みタイミングを示す信号ＬＤが送信されるとともに、ＣＰＵ４１からメイン電源系回路２０Ｂ（ＡＣ−ＤＣコンバータ２３）に対して電源のオン／オフすなわちＬＥＤの点灯／消灯を指令する信号ＯＮ／ＯＦＦが送信されるようになっている。
【００７３】
次に、上記ＣＰＵ４１による調光制御について説明する。図１６には、ＣＰＵ４１による調光制御処理の手順のフローチャートの一例が示されている。このフローチャートに従った制御プログラムが通信モジュール４０内のメモリ４３もしくはＣＰＵ４１内のＲＯＭに格納され、ＣＰＵ４１によってプログラムが実行されることで、調光制御処理が実行される。
【００７４】
図１６に示すように、本実施例の調光制御処理においては、先ずＤＡコンバータ（ＤＡＣ）２６をＤＡＣの入力レベルを初期化すなわち「０」にする処理を行う（ステップＳ１１）。続いて、内部処理状態をフェードインに設定（ステップＳ１２）し、無線スイッチからの信号を受信したか否かを示す受信フラグに“１”が立っているか否か判定する（ステップＳ１３）。受信フラグの“０”は無線スイッチからの信号を受信していないことを、また受信フラグの“１”は無線スイッチからの信号を受信したことを示している。このステップＳ１３で、受信フラグが“１”でない（Ｎｏ）と判定すると、当該ステップＳ１３を繰り返し実行することで、受信フラグに“１”が立つのを待つ。
【００７５】
ステップＳ１３で受信フラグが“１”である（Ｙｅｓ）と判定すると、ステップＳ１４へ進んで、当該受信フラグをクリア（ステップＳ１４）してから、内部処理状態がフェードインに設定されているか否か判定する（ステップＳ１５）。このステップＳ１５でフェードインが設定されている（Ｙｅｓ）と判定すると、ステップＳ１６へ進んでＤＡＣの入力値すなわちＬＥＤの明るさの度合いを示すＤＡＣ入力レベルを「＋１」（インクリメント）し、その値を入力データとしてＤＡＣへ送信する（ステップＳ１７）。従って、このフローチャートに従ってプログラムを実行するＣＰＵ４１は、カウンタの機能を有する。
【００７６】
次に、更新後のＤＡＣ入力レベルが最大値である「２５５」になったか否か判定する（ステップＳ１８）。ここで、ＤＡＣ入力レベルが「２５５」でない（Ｎｏ）と判定すると、ステップＳ２４へジャンプする。ステップＳ１８でＤＡＣ入力レベルが「２５５」である（Ｙｅｓ）と判定すると、ステップＳ１９へ進んで内部処理状態をフェードアウトに設定してから、ステップＳ２４へ進む。
【００７７】
一方、上記ステップＳ１５でフェードインが設定されていない（Ｎｏ）と判定すると、ステップＳ２０へ進んでＤＡＣの入力値すなわちＬＥＤの明るさの度合いを示すＤＡＣ入力レベルを「−１」（デクリメント）し、その値を入力データとしてＤＡＣへ送信する（ステップＳ２１）。
次に、更新後のＤＡＣ入力レベルが最小値である「０」になったか否か判定する（ステップＳ２２）。ここで、ＤＡＣ入力レベルが「０」でない（Ｎｏ）と判定すると、ステップＳ２４へジャンプする。ステップＳ２２でＤＡＣ入力レベルが「０」である（Ｙｅｓ）と判定すると、ステップＳ２へ進んで内部処理状態をフェードインに設定してから、ステップＳ２４へ進む。
【００７８】
ステップＳ２４では、受信フラグに“１”が立っているか否かすなわち再度無線スイッチからの信号を受信したか否かを判定し、受信フラグが“１”でない（Ｎｏ）と判定すると、ステップＳ１５へ戻って前記ステップＳ１５〜２３の処理を繰り返し実行する。また、ステップＳ２４で受信フラグが“１”である（Ｙｅｓ）と判定すると、ステップＳ２５へ進んで当該受信フラグをクリアする。それから、ステップＳ１３へ戻って前記ステップＳ１３〜２５の処理を繰り返し実行する。このような手順に従った処理を行うことによって、図１３に示すような調光制御が可能となる。
【００７９】
なお、この第２変形例では、図１３に示すような調光制御をプログラムで実行できるようにするためのフローチャートについて説明したが、同様にして、図１０に示すような調光制御や図１２に示すような調光制御を、プログラムで実行できるようにＬＥＤ電源ユニット１２を構築することも可能である。
【００８０】
（変形例３）
本発明に係る照明システムの第３の実施形態の第３変形例は、複数の無線スイッチにそれぞれ異なるＩＤコードを付与し、無線スイッチはボタンが操作されると無線信号にＩＤコードをのせて送信するように構成される。
一方、この変形例におけるＬＥＤ電源ユニット１２は、図１５に示すようなハードウェアを備えるように構成されるとともに、ＣＰＵ４１が実行するプログラムは、図３に示すような段階的な調光制御機能（ファンクション＃１）、図１０や図１２に示すような単順フェードイン・フェードアウト方式の調光制御機能（ファンクション＃２）、図１３に示すような途中停止可能なフェードイン・フェードアウト方式の調光制御機能（ファンクション＃３）など、複数のパターンもしくはシーケンスに従った調光制御が行える機能を有するように構築される。
【００８１】
さらに、ＬＥＤ電源ユニット１２側のメモリ（４３等）のＲＯＭ内には、上記ファンクション＃１〜＃３等と無線スイッチのＩＤコードとを対応付けて格納するファンクションテーブルが設けられ、ＣＰＵ４１は無線スイッチからのＩＤコードを受信すると、上記ファンクションテーブルを参照して、当該ＩＤコードが登録されているファンクションに対応した調光制御を実行するように構成される。
上記のように構成されたＬＥＤ電源ユニットを使用した照明システムにおいては、ＩＤコードの異なる複数の無線スイッチが用意され、ユーザがいずれかの無線スイッチを操作すると、操作された無線スイッチによって異なるパターンで変化する調光制御が実行されるため、ユーザの希望に応じた様々な調光パターンを実現することができるという利点がある。また、無線スイッチとしては、格納するＩＤコードが異なるのみでハード構成は同一のものを使用することができるため、コストアップを抑えることができるという利点がある。
【００８２】
以上、第３の実施形態について種々の具体例を挙げて説明したが、本発明は上記のような第３実施形態に限定されるものではない。例えば、第３変形例では、複数の無線スイッチのＩＤコードを、ＬＥＤ電源ユニットのメモリ内のファンクションテーブルに予め格納しておくつまり固定方式のものについて説明したが、ＬＥＤ電源ユニットのケースにキースイッチ等の操作手段、および該操作手段が操作されている間もしくは操作された直後に無線スイッチを操作すると、無線スイッチから送信されたＩＤコードを、ＬＥＤ電源ユニットのメモリ内のファンクションテーブルに新規あるいは追加で登録するような機能を設けてもよい。
【００８３】
さらに、その場合、キースイッチの操作回数あるいは複数設けられているキースイッチのうち操作されたキースイッチに応じて、ＩＤコードに対応づけられる調光制御機能を変えて登録することができるように構成することも可能である。
また、ＩＤコードの異なる複数の無線スイッチを使用する代わりに、複数種類のコマンドコードを送信可能なリモートコントローラによって、ＬＥＤ電源ユニットを制御するように構成することも可能である。
【００８４】
以上、本発明をその背景となった利用分野であるＬＥＤ照明システムに適用したものを説明したが、本発明はそれに限定されず、ＬＥＤランプ以外の照明器具を使用した照明システムはもちろん、複数のスピーカを設置した音響システムや音声案内システム、任意の香りを放出可能な放香装置を複数設置した放香システムなどにも利用することができる。
【符号の説明】
【００８５】
１０  ＡＣ電源
１１ａ，１１ｂ  ＬＥＤランプ（照明器具）
１２ａ，１２ｂ  ＬＥＤ電源ユニット（電源制御装置）
１３  主電源スイッチ
１４  無線スイッチ（スイッチ装置）
１５  電源配線
１６ａ，１６ｂ  ケーブル
２０Ａ  サブ電源系回路（第１回路部）
２０Ｂ  メイン電源系回路（第２回路部）
２８  セレクタ
【図１】
2011233493.tif 000003
【図２】
2011233493.tif 000004
【図３】
2011233493.tif 000005
【図４】
2011233493.tif 000006
【図５】
2011233493.tif 000007
【図６】
2011233493.tif 000008
【図７】
2011233493.tif 000009
【図８】
2011233493.tif 000010
【図９】
2011233493.tif 000011
【図１０】
2011233493.tif 000012
【図１１】
2011233493.tif 000013
【図１２】
2011233493.tif 000014
【図１３】
2011233493.tif 000015
【図１４】
2011233493.tif 000016
【図１５】
2011233493.tif 000017
【図１６】
2011233493.tif 000018